(57)【特許請求の範囲】
【請求項１】
入力端子に入力された入力電圧から所定の負電圧を生成して出力端子から出力電圧として出力するチャージポンプ回路において、
第１のコンデンサと、
前記出力端子と接地電圧との間に接続された第２のコンデンサと、
入力された制御信号に応じてスイッチングを行う、一端が前記入力端子に接続された第１のスイッチと、
該第１のスイッチの他端と前記第１のコンデンサの一端との間に接続され、該第１のコンデンサに入力される電圧の制御を行う電圧制御回路部と、
入力された制御信号に応じてスイッチングを行う、前記第１のコンデンサの他端と所定のコモン電圧との間に接続された第２のスイッチと、
前記第１のコンデンサと前記電圧制御回路部との接続部である第１の接続部と、前記コモン電圧との間に接続された、入力された制御信号に応じてスイッチングを行う第３のスイッチと、
前記第１のコンデンサと前記第２のスイッチとの接続部である第２の接続部と、前記出力端子との間に接続された、入力された制御信号に応じてスイッチングを行う第４のスイッチと、
前記第１から第４の各スイッチのスイッチング制御を行う制御回路部と、
を備え、
前記電圧制御回路部は、
前記出力電圧に対する所定の制限値の絶対値を超えると共に前記入力電圧未満である所定の定電圧を生成し出力する定電圧回路と、
前記第１のスイッチの他端と前記第１の接続部との間に接続され、制御電極に前記定電圧回路からの定電圧が入力された電界効果トランジスタからなる第１のトランジスタと、
を備え、前記第１のスイッチを介して入力された電流を前記第１のコンデンサに出力すると共に、前記第１の接続部の電圧を前記所定の定電圧以下になるように制御することを特徴とするチャージポンプ回路。
【請求項２】
前記第１から第４の各スイッチは、それぞれ電界効果トランジスタからなり、
前記制御回路部は、
対応する前記第１から第４の各スイッチを駆動する第１から第４の各ドライバ回路と、
該第１から第４の各ドライバ回路を使用して前記第１から第４の各スイッチのスイッチング制御を行う制御回路と、
を備えることを特徴とする請求項１記載のチャージポンプ回路。
【請求項３】
前記第２及び第４の各ドライバ回路は、前記定電圧回路からの定電圧を電源にして作動することを特徴とする請求項２記載のチャージポンプ回路。
【請求項４】
前記第２及び第４の各ドライバ回路は、前記入力電圧を電源にして作動することを特徴とする請求項２記載のチャージポンプ回路。
【請求項５】
前記第１のスイッチはＰＭＯＳトランジスタであり、前記第２から第４の各スイッチはそれぞれＮＭＯＳトランジスタであることを特徴とする請求項２、３又は４記載のチャージポンプ回路。
【請求項６】
前記第１のトランジスタは、ＮＭＯＳトランジスタであることを特徴とする請求項１、２、３、４又は５記載のチャージポンプ回路。
【請求項７】
前記制御回路は、入力された所定のクロック信号に同期させて、前記第１及び第２の各スイッチをそれぞれオンさせて導通状態にすると共に前記第３及び第４の各スイッチをそれぞれオフさせて遮断状態にした後、前記第１及び第２の各スイッチをそれぞれオフさせて遮断状態にすると共に前記第３及び第４の各スイッチをそれぞれオンさせて導通状態にする動作を繰り返し行わせて前記負電圧を生成させることを特徴とする請求項２、３、４、５又は６記載のチャージポンプ回路。
【請求項８】
前記出力端子から出力される出力電圧の検出を行い、該出力電圧が前記所定の制限値以下になったことを検出すると、前記制御回路への前記クロック信号の入力を遮断する電圧監視回路部を備え、前記制御回路は、該クロック信号の入力が停止すると、前記第１及び第２の各スイッチをそれぞれオンさせて導通状態にすると共に前記第３及び第４の各スイッチをそれぞれオフさせて遮断状態にすることを特徴とする請求項２、３、４、５、６又は７記載のチャージポンプ回路。
【請求項９】
前記電圧監視回路部は、
前記出力端子から出力される出力電圧の検出を行い、該出力電圧が前記所定の制限値以下になったか否かを示す２値の信号を生成して出力する電圧監視回路と、
該電圧監視回路の出力信号に応じて前記クロック信号の制御回路への出力制御を行うクロック信号出力制御回路と、
を備えること特徴とする請求項８記載のチャージポンプ回路。
【請求項１０】
前記出力端子から出力される出力電圧の検出を行い、該出力電圧が前記所定の制限値以下になったか否かを示す信号を生成して出力する電圧監視回路部を備え、前記制御回路は、前記出力電圧が所定値以下になったことを示す信号が該電圧監視回路部から出力されると、入力されたクロック信号の周波数を低下させた信号に同期させて前記第１から第４の各スイッチに対する動作制御を行うことを特徴とする請求項２、３、４、５、６又は７記載のチャージポンプ回路。
【発明の詳細な説明】
【技術分野】
【０００１】
本発明は、負電圧を発生させる反転型のチャージポンプ回路に関し、特に半導体集積回路におけるＭＯＳトランジスタのサブストレートゲート等に供給する負電圧を生成するチャージポンプ回路に関する。
【背景技術】
【０００２】
近年、携帯電話等で使用されるデバイスにおいて、負電圧を必要とするものが多数存在している。例えば、微細化に伴うリーク電流を抑えるためにＭＯＳトランジスタのサブストレートゲート（バックゲートともいう）に負電圧を入力するようにしたデバイス等がある。しかし、基本的には、Ｌｉ（リチウム）イオン電池等のような正電圧の電源を使用しているため、該正電圧から負電圧を発生させる回路が必要であった。
図４は、負電圧を発生させる反転型のチャージポンプ回路の従来例を示した概略図である。
図４のチャージポンプ回路１００において、制御回路１０５は、ＭＯＳトランジスタからなるスイッチＳＷ１０１〜ＳＷ１０４を、対応するドライバ回路１０１〜１０４を介してスイッチング制御を行う。
【０００３】
制御回路１０５は、まずＭＯＳトランジスタからなるスイッチＳＷ１０１及びＳＷ１０２をそれぞれオンさせて導通状態にすると共にＭＯＳトランジスタからなるスイッチＳＷ１０３及びＳＷ１０４をそれぞれオフさせて遮断状態にし、コンデンサＣ１０１は、電圧（Ｖｉｎ−Ｖｃ）で充電される。次に、制御回路１０５は、スイッチＳＷ１０１及びＳＷ１０２をそれぞれオフさせて遮断状態にすると共にスイッチＳＷ１０３及びＳＷ１０４をそれぞれオンさせて導通状態にし、コンデンサＣ１０１に充電された電圧の極性を反転させた反転電圧でコンデンサＣ１０２が充電され、負電圧の出力電圧Ｖｏｕｔとして出力される。無負荷状態であれば、出力電圧Ｖｏｕｔは−（Ｖｉｎ−Ｖｃ）になる。
【０００４】
なお、本発明とは異なるが、負荷を構成するＧａＡｓＦＥＴやＭＭＩＣに対する正電圧及び負電圧の供給時に生じる不具合を防止することができる電源供給回路があった（例えば、特許文献１参照。）。
【特許文献１】特開２００３−２５９６２４号公報
【発明の開示】
【発明が解決しようとする課題】
【０００５】
しかし、負電圧が発生する接続部ＣＮには−（Ｖｉｎ−Ｖｃ）の電圧が発生し、ドライバ回路１０２及び１０４の電源電圧が入力電圧Ｖｉｎである場合、スイッチＳＷ１０２及びＳＷ１０４の各ゲートと接続部ＣＮとの間には、最大で（２×Ｖｉｎ−Ｖｃ）の電圧差が発生するため、ＭＯＳトランジスタの耐圧を超える可能性があった。このことから、ＭＯＳトランジスタの耐圧を超えないようにするために、複雑な電圧制御を行ったり、定電圧回路の出力電圧を入力電圧Ｖｉｎに使用する等していたが、設計工数の増加及び回路規模の増大を招いていた。
【０００６】
また、入力電源として例えばＬｉイオン電池を使用した場合、入力電圧Ｖｉｎの電圧範囲は３.２Ｖ〜４.４Ｖ程度になり、コモン電圧Ｖｃを０Ｖにした場合、接続部ＣＮの電圧は、−４.４Ｖ〜−３.２Ｖになるため、出力電圧Ｖｏｕｔがばらついてリップルが大きくなるという問題があった。
このように、チャージポンプ回路１００内の正電圧と負電圧の電圧差は、コモン電圧Ｖｃが０Ｖのときで入力電圧Ｖｉｎの２倍になりＭＯＳトランジスタの耐圧を超える場合がある。このため、ＭＯＳトランジスタの耐圧をプロセス的に上げようとするとチップ面積の増大につながり、該耐圧を超えないように電圧制御を行う場合は回路設計の難易度が上がるという問題があった。定電圧回路から入力電圧Ｖｉｎを入力した場合、出力端子ＯＵＴから出力される電流によって該定電圧回路の設計を変える必要があり、チップ面積増加と設計工数増加につながっていた。
【０００７】
本発明は、このような問題を解決するためになされたものであり、スイッチの耐圧を上げることなく簡単な回路を追加するだけで、出力電圧のリップルの増大を低減させることができると共に該スイッチの耐圧を超えないようにすることができる反転型のチャージポンプ回路を得ることを目的とする。
【課題を解決するための手段】
【０００８】
この発明に係るチャージポンプ回路は、入力端子に入力された入力電圧から所定の負電圧を生成して出力端子から出力電圧として出力するチャージポンプ回路において、
第１のコンデンサと、
前記出力端子と接地電圧との間に接続された第２のコンデンサと、
入力された制御信号に応じてスイッチングを行う、一端が前記入力端子に接続された第１のスイッチと、
該第１のスイッチの他端と前記第１のコンデンサの一端との間に接続され、該第１のコンデンサに入力される電圧の制御を行う電圧制御回路部と、
入力された制御信号に応じてスイッチングを行う、前記第１のコンデンサの他端と所定のコモン電圧との間に接続された第２のスイッチと、
前記第１のコンデンサと前記電圧制御回路部との接続部である第１の接続部と、前記コモン電圧との間に接続された、入力された制御信号に応じてスイッチングを行う第３のスイッチと、
前記第１のコンデンサと前記第２のスイッチとの接続部である第２の接続部と、前記出力端子との間に接続された、入力された制御信号に応じてスイッチングを行う第４のスイッチと、
前記第１から第４の各スイッチのスイッチング制御を行う制御回路部と、
を備え、
前記電圧制御回路部は、
前記出力電圧に対する所定の制限値の絶対値を超えると共に前記入力電圧未満である所定の定電圧を生成し出力する定電圧回路と、
前記第１のスイッチの他端と前記第１の接続部との間に接続され、制御電極に前記定電圧回路からの定電圧が入力された電界効果トランジスタからなる第１のトランジスタと、
を備え、前記第１のスイッチを介して入力された電流を前記第１のコンデンサに出力すると共に、前記第１の接続部の電圧を前記所定の定電圧以下になるように制御するものである。
【００１０】
また、前記第１から第４の各スイッチは、それぞれ電界効果トランジスタからなり、
前記制御回路部は、
対応する前記第１から第４の各スイッチを駆動する第１から第４の各ドライバ回路と、
該第１から第４の各ドライバ回路を使用して前記第１から第４の各スイッチのスイッチング制御を行う制御回路と、
を備えるようにした。
【００１１】
この場合、前記第２及び第４の各ドライバ回路は、前記定電圧回路からの定電圧を電源にして作動するようにした。
【００１２】
また、前記第２及び第４の各ドライバ回路は、前記入力電圧を電源にして作動するようにしてもよい。
【００１３】
また、前記第１のスイッチはＰＭＯＳトランジスタであり、前記第２から第４の各スイッチはそれぞれＮＭＯＳトランジスタであるようにした。
【００１４】
この場合、前記第１のトランジスタは、ＮＭＯＳトランジスタであるようにした。
【００１５】
また、前記制御回路は、入力された所定のクロック信号に同期させて、前記第１及び第２の各スイッチをそれぞれオンさせて導通状態にすると共に前記第３及び第４の各スイッチをそれぞれオフさせて遮断状態にした後、前記第１及び第２の各スイッチをそれぞれオフさせて遮断状態にすると共に前記第３及び第４の各スイッチをそれぞれオンさせて導通状態にする動作を繰り返し行わせて前記負電圧を生成させるようにした。
【００１６】
また、前記出力端子から出力される出力電圧の検出を行い、該出力電圧が前記所定の制限値以下になったことを検出すると、前記制御回路への前記クロック信号の入力を遮断する電圧監視回路部を備え、前記制御回路は、該クロック信号の入力が停止すると、前記第１及び第２の各スイッチをそれぞれオンさせて導通状態にすると共に前記第３及び第４の各スイッチをそれぞれオフさせて遮断状態にするようにした。
【００１７】
具体的には、前記電圧監視回路部は、
前記出力端子から出力される出力電圧の検出を行い、該出力電圧が前記所定の制限値以下になったか否かを示す２値の信号を生成して出力する電圧監視回路と、
該電圧監視回路の出力信号に応じて前記クロック信号の制御回路への出力制御を行うクロック信号出力制御回路と、
を備えるようにした。
【００１８】
また、前記出力端子から出力される出力電圧の検出を行い、該出力電圧が前記所定の制限値以下になったか否かを示す信号を生成して出力する電圧監視回路部を備え、前記制御回路は、前記出力電圧が所定値以下になったことを示す信号が該電圧監視回路部から出力されると、入力されたクロック信号の周波数を低下させた信号に同期させて前記第１から第４の各スイッチに対する動作制御を行うようにしてもよい。
【発明の効果】
【００１９】
本発明のチャージポンプ回路によれば、一端が入力端子に接続された第１のスイッチの他端と第１のコンデンサの一端との間に、第１のコンデンサに入力される電圧の制御を行う電圧制御回路部を設け、該電圧制御回路部は、第１のスイッチを介して入力された電流を第１のコンデンサに出力すると共に、第１のコンデンサと電圧制御回路部との接続部の電圧を所定の定電圧以下になるように制御するようにした。このことから、スイッチの耐圧を上げることなく簡単な回路を追加するだけで、出力電圧のリップルの増大を低減させることができると共に該スイッチの耐圧を超えないようにすることができる。
【発明を実施するための最良の形態】
【００２０】
次に、図面に示す実施の形態に基づいて、本発明を詳細に説明する。
第１の実施の形態．
図１は、本発明の第１の実施の形態におけるチャージポンプ回路の回路例を示した図である。
図１において、チャージポンプ回路１は、入力端子ＩＮに入力された入力電圧Ｖｉｎから所定の負電圧−Ｖ１を生成して出力端子ＯＵＴから出力電圧Ｖｏｕｔとして出力する。
チャージポンプ回路１は、ＰＭＯＳトランジスタからなるスイッチＳＷ１と、ＮＭＯＳトランジスタからなるスイッチＳＷ２〜ＳＷ４と、ＮＭＯＳトランジスタＭ１と、所定の正電圧Ｖｂを生成して出力する定電圧回路２と、コンデンサＣ１，Ｃ２と、ドライバ回路３〜６と、ドライバ回路３〜６を介してスイッチＳＷ１〜ＳＷ４のスイッチング制御を行う制御回路７と、電圧監視回路８と、ＡＮＤ回路９とを備えている。
【００２１】
なお、スイッチＳＷ１は第１のスイッチを、スイッチＳＷ２は第２のスイッチを、スイッチＳＷ３は第３のスイッチを、スイッチＳＷ４は第４のスイッチをそれぞれなし、定電圧回路２及びＮＭＯＳトランジスタＭ１は電圧制御回路部を、ドライバ回路３〜６及び制御回路７は制御回路部を、コンデンサＣ１は第１のコンデンサを、コンデンサＣ２は第２のコンデンサをそれぞれなす。また、ＮＭＯＳトランジスタＭ１は第１のトランジスタを、ドライバ回路３は第１のドライバ回路を、ドライバ回路４は第２のドライバ回路を、ドライバ回路５は第３のドライバ回路を、ドライバ回路６は第４のドライバ回路をそれぞれなす。また、電圧監視回路８及びＡＮＤ回路９は電圧監視回路部を、ＡＮＤ回路９はクロック信号出力制御回路をそれぞれなす。
【００２２】
入力端子ＩＮと所定のコモン電圧Ｖｃが入力されるコモン端子ＣＯＭとの間には、スイッチＳＷ１、ＮＭＯＳトランジスタＭ１及びスイッチＳＷ３が直列に接続され、コモン端子ＣＯＭと出力端子ＯＵＴとの間にはスイッチＳＷ２及びＳＷ４が直列に接続されている。ＮＭＯＳトランジスタＭ１とスイッチＳＷ３との接続部をＣＰとし、スイッチＳＷ２とスイッチＳＷ４との接続部をＣＮとすると、接続部ＣＰと接続部ＣＮとの間にはコンデンサＣ１が接続され、出力端子ＯＵＴと接地電圧との間にはコンデンサＣ２が接続されている。ＮＭＯＳトランジスタＭ１のゲートには定電圧回路２から定電圧Ｖｂが入力されている。
【００２３】
スイッチＳＷ１〜ＳＷ４の各ゲートは、対応するドライバ回路３〜６に接続され、ドライバ回路３〜６は、制御回路７にそれぞれ接続され、制御回路７から入力された制御信号に応じて対応するスイッチＳＷ１〜ＳＷ４のスイッチング制御を行う。電圧監視回路８は、出力電圧Ｖｏｕｔの電圧をモニタし、該モニタした結果を示す信号をＡＮＤ回路９の一方の入力端に出力し、ＡＮＤ回路９の他方の入力端には所定のクロック信号ＣＬＫが入力されている。ＡＮＤ回路９の出力端は制御回路７に接続されている。ドライバ回路３，５、制御回路７及び電圧監視回路８は入力電圧Ｖｉｎを電源にして作動し、ドライバ回路４，６は定電圧Ｖｂを電源にして作動する。
【００２４】
このような構成において、制御回路７は、ＡＮＤ回路９からクロック信号ＣＬＫが入力されると、該クロック信号ＣＬＫに同期させてスイッチＳＷ１〜ＳＷ４のオン／オフ制御を行う。制御回路７は、まずスイッチＳＷ１及びＳＷ２をそれぞれオンさせて導通状態にすると共にスイッチＳＷ３及びＳＷ４をそれぞれオフさせて遮断状態にする。このとき、ゲートに定電圧Ｖｂが入力されているＮＭＯＳトランジスタＭ１がオンするためには、接続部ＣＰの電圧Ｖｃｐが電圧Ｖｂ以下になる必要があり、接続部ＣＰの電圧が電圧Ｖｂを超えている場合、ＮＭＯＳトランジスタＭ１はオフして遮断状態になる。このため、電圧Ｖｃｐは電圧Ｖｂ以下になり、コンデンサＣ１は、（Ｖｃｐ−Ｖｃ）の電圧で充電される。
【００２５】
次に、制御回路７は、スイッチＳＷ１及びＳＷ２をそれぞれオフさせて遮断状態にすると共にスイッチＳＷ３及びＳＷ４をそれぞれオンさせて導通状態にする。このため、接続部ＣＮの電圧は−（Ｖｃｐ−Ｖｃ）になり、コンデンサＣ１に充電された電圧の極性を反転させた反転電圧でコンデンサＣ２が充電され、負電圧の出力電圧Ｖｏｕｔが出力端子ＯＵＴから出力される。
ここで、電圧監視回路８は、出力電圧Ｖｏｕｔをモニタしており、出力電圧Ｖｏｕｔが電圧−Ｖ１以下になるとローレベルの信号をＡＮＤ回路９に出力し、ＡＮＤ回路９に対してクロック信号ＣＬＫの出力を停止させてローレベルの信号を出力させる。この場合は、制御回路７は、スイッチＳＷ１及びＳＷ２をそれぞれオンさせると共にスイッチＳＷ３及びＳＷ４をそれぞれオフさせた状態にする。
【００２６】
また、電圧監視回路８は、出力電圧Ｖｏｕｔが電圧−Ｖ１を超えている場合は、ハイレベルの信号をＡＮＤ回路９に出力し、ＡＮＤ回路９に対してクロック信号ＣＬＫを出力させる。この場合、制御回路７は、クロック信号ＣＬＫに同期させて、スイッチＳＷ１〜ＳＷ４を前記のようにオン／オフ制御する。このような動作を繰り返すことにより、電圧監視回路８は、出力電圧Ｖｏｕｔが負電圧−Ｖ１になるようにする。
ドライバ回路４及び６は、定電圧Ｖｂを電源して作動していることから、対応するスイッチＳＷ２及びＳＷ４をオンさせる際は、スイッチＳＷ２及びＳＷ４の各ゲートに電圧Ｖｂのハイレベル信号を出力する。
【００２７】
このため、スイッチＳＷ１及びＳＷ２がそれぞれオンしたときは、接続部ＣＮの電圧Ｖｃｎは電圧Ｖｃであり、このときスイッチＳＷ２には最大で（Ｖｂ−Ｖｃ）の電圧がかかる。
これに対して、スイッチＳＷ３及びＳＷ４がそれぞれオンしたときには、接続部ＣＮの電圧Ｖｃｎが、−（Ｖｃｐ−Ｖｃ）になり、最も小さい場合は−（Ｖｂ−Ｖｃ）になる。すなわち、スイッチＳＷ４がオンするときにスイッチＳＷ４には最大（２×Ｖｂ−Ｖｃ）の電圧がかかるため、電圧（２×Ｖｂ−Ｖｃ）がスイッチＳＷ４の耐圧よりも小さくなるように電圧Ｖｂを設定するようにすればよい。なお、電圧Ｖｂの最低限の条件としては、電圧Ｖｂは、電圧Ｖ１の絶対値を超えると共に入力電圧Ｖｉｎ未満になるように設定される。
【００２８】
また、出力電圧Ｖｏｕｔが−（Ｖｂ−Ｖｃ）になり、電圧Ｖｂが入力電圧Ｖｉｎ未満であることから、入力電圧ＶｉｎがＬｉイオン電池から入力されるような場合でも、出力電圧Ｖｏｕｔのリップルの増大を従来よりも低減させることができる。
一方、図１では、電圧監視回路８からの出力信号に応じて、クロック信号ＣＬＫの制御回路７への入力を遮断するようにしたが、電圧監視回路８からの出力信号とクロック信号ＣＬＫが制御回路７に直接入力されるようにし、制御回路７は、電圧監視回路８から、出力電圧Ｖｏｕｔが電圧−Ｖ１以下になっていることを示す信号が入力されると、入力されたクロック信号ＣＬＫの周波数を下げた信号に同期させてスイッチＳＷ１〜ＳＷ４のオン／オフ制御を行うようにしてもよい。この場合、図１は図２のようになり、電圧監視回路８が電圧監視回路部をなす。
【００２９】
なお、図３に示すように、スイッチＳＷ４とコンデンサＣ２の接続部と、出力端子ＯＵＴとの間に定電圧回路１１を追加して、出力電圧Ｖｏｕｔの定電圧化を図るようにしてもよい。
また、前記説明では、ドライバ回路４及び６は、定電圧Ｖｂを電源にして作動するようにしたが、ドライバ回路４及び６が、入力電圧Ｖｉｎを電源にして作動するようにしてもよい。この場合、スイッチＳＷ４がオンするときに最大（Ｖｉｎ＋Ｖｂ−Ｖｃ）の電圧がかかり、ドライバ回路４及び６が定電圧Ｖｂを電源にして作動するようにしたときよりも大きくなるが、従来の（２×Ｖｉｎ−Ｖｃ）の電圧よりも小さくすることができる。
【００３０】
このように、本第１の実施の形態におけるチャージポンプ回路は、スイッチＳＷ１と接続部ＣＰとの間に定電圧Ｖｂがゲートに入力されたＮＭＯＳトランジスタＭ１を挿入するようにしたことから、スイッチをなすＭＯＳトランジスタの耐圧を上げることなく簡単な回路を追加するだけで、出力電圧のリップルの増大を低減させることができると共に該ＭＯＳトランジスタの耐圧を超えないようにすることができる。
【図面の簡単な説明】
【００３１】
【図１】本発明の第１の実施の形態におけるチャージポンプ回路の回路例を示した図である。
【図２】本発明の第１の実施の形態におけるチャージポンプ回路の他の回路例を示した図である。
【図３】本発明の第１の実施の形態におけるチャージポンプ回路の他の回路例を示した図である。
【図４】従来のチャージポンプ回路の回路例を示した図である。
【符号の説明】
【００３２】
１  チャージポンプ回路
２，１１  定電圧回路
３〜６  ドライバ回路
７  制御回路
８  電圧監視回路
９  ＡＮＤ回路
ＳＷ１〜ＳＷ４  スイッチ
Ｍ１  ＮＭＯＳトランジスタ
Ｃ１，Ｃ２  コンデンサ
【図１】
0005078464.tif 000002
【図２】
0005078464.tif 000003
【図３】
0005078464.tif 000004
【図４】
0005078464.tif 000005